(57)【要約】【課題】制御用表示装置を実現するために必要なハードウェア資源およびソフトウェア資源、並びに、ユーザ教育の手間を削減できると共に、制御ユニットと通信する際の画面を作画する際の手間と、当該画面を作画可能なシステムを開発するための手間とを削減可能な制御用表示装置を実現する。【解決手段】携帯端末２２のブラウザ３１は、機能部品が配置された文書が閲覧されているとき、当該機能部品を動作させる。各機能部品は、プログラマブル表示器１２ｂと通信するように、共通プロトコル処理部３３へ指示し、共通プロトコル処理部３３は、ローカルエリアネットワーク１３を介して、プログラマブル表示器１２ｂと直接通信して、上記機能部品の要求に応える。これにより、ウェブサーバ２１の文書閲覧時と、制御ユニット１２との通信時とで、ユーザインターフェースをブラウザ３１に統一できる。【選択図】　図１
2004094749.tif 000002
【特許請求の範囲】
【請求項１】
ローカルエリアネットワーク上およびインターネット上の文書を閲覧可能な閲覧手段を有する制御用表示装置において、
デバイスを制御する制御ユニット間を接続するローカルエリアネットワークに接続可能な通信手段と、
上記閲覧手段によって閲覧される文書中に配置可能な機能部品であって、しかも、当該機能部品を配置した文書が上記閲覧手段によって閲覧されているときに、予め定められた動作として、上記通信手段に上記制御ユニットと通信させる制御用機能部品が記憶された記憶手段とを備えていることを特徴とする制御用表示装置。
【請求項２】
上記通信手段は、上記ローカルエリアネットワークに接続できないときに、上記制御ユニットとの通信が指示された場合には、当該通信指示を蓄積しておき、その後、上記ローカルエリアネットワークに接続可能になったときに、当該蓄積された通信指示に基づいて上記制御ユニットと通信することを特徴とする請求項１記載の制御用表示装置。
【請求項３】
上記記憶手段には、上記閲覧手段によって閲覧される文書中に配置可能な機能部品であって、しかも、当該機能部品を配置した文書が上記閲覧手段によって閲覧されているときに、予め定められた動作として、上記ローカルエリアネットワークまたはインターネット上のサーバとの通信を上記閲覧手段に指示するサーバ通信用機能部品も記憶されており、
上記ローカルエリアネットワーク上またはインターネット上のサーバと通信できないときに、上記サーバ通信用機能部品によって、当該サーバとの通信が指示された場合には、当該通信指示を蓄積しておき、その後、上記ローカルエリアネットワークまたはインターネットに接続可能になったときに、当該蓄積された通信指示に基づいて上記サーバと通信する蓄積手段を備えていることを特徴とする請求項１または２記載の制御用表示装置。
【請求項４】
デバイスを制御する制御ユニット間を接続するローカルエリアネットワークに接続可能な通信手段と、ローカルエリアネットワーク上およびインターネット上の文書を閲覧可能な閲覧手段とを備えたコンピュータにより実行可能なプログラムであって、
上記閲覧手段によって閲覧される文書中に配置可能な機能部品であり、しかも、当該機能部品を配置した文書が上記閲覧手段によって閲覧されているときに、予め定められた動作として、上記通信手段に上記制御ユニットと通信させる制御用機能部品として、コンピュータを動作させるプログラム。
【発明の詳細な説明】
【０００１】
【発明の属する技術分野】
本発明は、制御システムで用いられる制御用表示装置に関するものである。
【０００２】
【従来の技術】
従来から、制御システムのＨＭＩ（Ｈｕｍａｎ　Ｍａｃｈｉｎｅ　Ｉｎｔｅｒｆａｃｅ　）として、例えば、プログラマブル表示器などの制御用表示装置が広く使用されている。また、Ｗｉｎｄｏｗｓ（登録商標）ＣＥやＷｉｎｄｏｗｓ（登録商標）ＮＴをＯＳ（Ｏｐｅｒａｔｉｎｇ　Ｓｙｓｔｅｍ）として採用したパネルコンピュータなども、制御用表示装置として採用されることもある。さらに、これらの中には、携帯可能に構成された制御用表示装置も使われている。
【０００３】
ここで、制御システムでは、デバイスを制御するシステムだけではなく、他の用途のシステムも動作している。例えば、製造装置をターゲットシステムとする制御システムでは、生産計画を立案するシステムや、生産計画に沿った製造指示を制御用表示装置のユーザへ通知するシステム、生産の進捗状況を収集するシステム、進捗状況を蓄積するシステムなどが動作しており、これらの中には、制御システムのローカルエリアネットワークに接続されたウェブサーバによって、製造指示や進捗状況などの情報を、ローカルエリアネットワーク内の各機器に配信しているシステムも存在している。
【０００４】
ここで、これらの情報の中には、制御用表示装置のユーザにとっても有益な情報がある。また、メンテナンスの担当者は、効率よくメンテナンスするために、デバイスを制御するシステムに関連する情報だけではなく、上記他の用途のシステムによって配信される情報も参照することが望ましい。
【０００５】
上記用途に好適なプログラマブル表示器として、例えば、以下の特許文献１では、制御対象機器（デバイス）の動作状況を表示すると共にデバイスの動作制御のための操作を受け付ける表示処理と、ウェブサーバにアクセス可能なブラウザの処理とを切り換え可能なプログラマブル表示器が開示されている。これにより、プログラマブル表示器のユーザは、デバイスを制御するときには、デバイスの表示機能を実現する処理に切り換えて、デバイスの動作状況を把握したり、デバイスの動作状況を操作したりできる。一方、プログラマブル表示器のユーザは、ウェブサーバの情報を参照するとき、デバイスの表示機能を実現する処理から、閲覧する機能を実現するための処理に切り換えて、当該情報を閲覧できる。
【０００６】
【特許文献１】
特開２００１−２８２５０１号公報（［００３３］段落：公開日２００１年１０月１２日）
【０００７】
【発明が解決しようとする課題】
しかしながら、上記従来の構成では、閲覧機能を実現するためのソフトウェアと、デバイスの操作画面の表示機能を実現するためのソフトウェアとが別々に設けられているので、制御用表示装置を実現するためのハードウェア資源およびソフトウェア資源が増加しがちである。また、それぞれが別のソフトウェアなので、ユーザインターフェースを統一することが難しく、制御用表示装置のユーザを教育する手間も増大しやすい。
【０００８】
加えて、デバイスの操作画面を作画するためには、閲覧機能によって閲覧される文書のエディタとは別の、専用のエディタが使用されているので、当該エディタを作成する手間がかかると共に、操作画面に新たな機能を追加するときの手間も増大しやすい。
【０００９】
本発明は、上記の問題点に鑑みてなされたものであり、その目的は、制御用表示装置を実現するために必要なハードウェア資源およびソフトウェア資源、並びに、ユーザ教育の手間を削減できると共に、制御ユニットと通信する際の画面を作画する際の手間と、当該画面を作画可能なシステムを開発するための手間とを削減可能な制御用表示装置を実現することにある。
【００１０】
【課題を解決するための手段】
本発明に係る制御用表示装置は、ローカルエリアネットワーク上およびインターネット上の文書を閲覧可能な閲覧手段を有する制御用表示装置において、上記課題を解決するために、デバイスを制御する制御ユニット間を接続するローカルエリアネットワークに接続可能な通信手段と、上記閲覧手段によって閲覧される文書中に配置可能な機能部品であって、しかも、当該機能部品を配置した文書が上記閲覧手段によって閲覧されているときに、予め定められた動作として、上記通信手段に上記制御ユニットと通信させる制御用機能部品が記憶された記憶手段とを備えていることを特徴としている。なお、上記制御用機能部品は、通信手段に制御用ユニットと通信させることができれば、他の動作（例えば、通信結果に応じた表示動作や、入力結果に応じた通信内容の変更動作または通信の要否の変更動作など）を行ってもよい。
【００１１】
上記構成において、上記閲覧手段は、ローカルエリアネットワーク上およびインターネット上の文書を閲覧できる。したがって、制御用表示装置のユーザは、ローカルエリアネットワーク上およびインターネット上に設けられたサーバのうち、制御システムに存在する種々の情報を公開しているサーバ（例えば、制御システムの制御計画を公開しているサーバや、作業の進捗状況を公開しているサーバなど）へアクセスして、これらの情報を取得できる。
【００１２】
一方、制御用表示装置のユーザが、上記閲覧手段によって、制御用機能部品が配置された文書を閲覧すると、上記通信手段は、当該制御用機能部品の指示に基づき、制御ユニットと通信する。これにより、制御用表示装置は、特に、ウェブサーバなどを経由せず、上記ローカルエリアネットワーク経由で、制御ユニットと直接通信でき、例えば、当該制御ユニットへ、デバイスの制御を指示したり、デバイスの状態取得を指示したりできる。
【００１３】
ここで、上記では、ローカルエリアネットワーク経由での制御ユニットと通信するときと、ローカルエリアネットワーク上およびインターネット上の文書を閲覧するときとの双方で、閲覧手段が使用されている。したがって、それぞれで別々の手段を用いる場合に比べて、制御用表示装置を実現するために必要なハードウェア資源およびソフトウェア資源を削減できる。また、双方のユーザインターフェースが閲覧手段に統一されているので、制御用表示装置のユーザを教育する手間を削減できる。
【００１４】
加えて、上記制御用機能部品は、閲覧手段によって閲覧される文書に配置可能なので、制御ユニットと通信する際の画面を作画するための専用のエディタを使用することなく、ローカルエリアネットワーク上およびインターネット上で公開可能な文書を作成可能な文書エディタ（例えば、ワードプロセッサや表計算ソフト、あるいは、ＨＴＭＬ（　ＨｙｐｅｒＴｅｘｔ　Ｍａｒｋｕｐ　Ｌａｎｇｕａｇｅ　）エディタなど）によって、制御用機能部品を含む文書を作成できる。また、文書に配置された制御用機能部品が、制御ユニットと通信するので、互いに異なる機能を有する制御用機能部品を、予め用意しておけば、上記文書の作成者は、これらの中から、所望の機能を有する制御用機能部品を選択して、文書に配置するだけで、所望の機能を有する文書を作成できる。これらの結果、制御ユニットと通信するための画面を作画する際の手間と、当該画面を作画可能なシステムを開発するための手間とを削減できる。なお、新たな機能が必要になれば、当該機能を実現するための制御用機能部品を作成すればよいので、機能を追加する際の手間も削減できる。
【００１５】
さらに、請求項２の発明に係る制御用表示装置は、上記構成に加えて、上記通信手段は、上記ローカルエリアネットワークに接続できないときに、上記制御ユニットとの通信が指示された場合には、当該通信指示を蓄積しておき、その後、上記ローカルエリアネットワークに接続可能になったときに、当該蓄積された通信指示に基づいて上記制御ユニットと通信することを特徴としている。
【００１６】
上記構成では、通信手段が上記ローカルエリアネットワークと通信できないときに、上記制御用機能部品が制御ユニットとの通信を指示したとしても、当該通信手段がローカルエリアネットワークと通信できるときまで、通信指示を蓄積して制御ユニットに送信する。
【００１７】
したがって、制御用表示装置のユーザと通信手段との間に配された手段（例えば、閲覧手段や制御用機能部品など）は、通信手段がローカルエリアネットワークと通信できないときでも、通信できるときと同様に動作でき、例えば、制御ユニットへの指示の入力を受け付けることができる。なお、これら通信手段への通信指示は、ローカルエリアネットワークとの通信再開後に実行され、制御ユニットの動作に反映される。
【００１８】
この結果、例えば、ローカルエリアネットワークとの接続経路に無線伝送路が含まれている場合など、ローカルエリアネットワークとの接続が不所望に断続され虞れがある場合であっても、何ら支障なく、制御ユニットと通信できる。
【００１９】
また、請求項３の発明に係る制御用表示装置は、上記構成に加えて、上記記憶手段には、上記閲覧手段によって閲覧される文書中に配置可能な機能部品であって、しかも、当該機能部品を配置した文書が上記閲覧手段によって閲覧されているときに、予め定められた動作として、上記ローカルエリアネットワークまたはインターネット上のサーバとの通信を上記閲覧手段に指示するサーバ通信用機能部品も記憶されており、上記ローカルエリアネットワーク上またはインターネット上のサーバと通信できないときに、上記サーバ通信用機能部品によって、当該サーバとの通信が指示された場合には、当該通信指示を蓄積しておき、その後、上記ローカルエリアネットワークまたはインターネットに接続可能になったときに、当該蓄積された通信指示に基づいて上記サーバと通信する蓄積手段を備えていることを特徴としている。なお、サーバがローカルエリアネットワーク上に設けられている場合、あるいは、ローカルエリアネットワークを経由してインターネットにアクセスする場合には、上記蓄積手段は、上記通信手段であってもよい。
【００２０】
上記構成では、請求項２記載の通信手段と略同様に、上記ローカルエリアネットワーク上またはインターネット上のサーバと通信できないときに、上記サーバ通信用機能部品が、当該サーバとの通信を指示したとしても、蓄積手段が、ローカルエリアネットワークまたはインターネットと通信できるようになるまでこれらの通信指示を蓄積し、通信できるようになった時点で、当該通信指示に基づいてサーバと通信する。
【００２１】
したがって、制御用表示装置のユーザと通信手段との間に配された手段（例えば、閲覧手段やサーバ通信用機能部品など）は、制御用表示装置がローカルエリアネットワークやインターネットと通信できないときでも、通信できるときと同様に動作でき、例えば、サーバへの指示の入力を受け付けることができる。なお、これら通信手段への通信指示は、ローカルエリアネットワークやインターネットとの通信再開後に実行され、サーバの動作に反映される。
【００２２】
この結果、例えば、ローカルエリアネットワークやインターネットとの接続経路に無線伝送路が含まれている場合など、ローカルエリアネットワークやインターネットとの接続が不所望に断続され虞れがある場合であっても、何ら支障なく、サーバと通信できる。
【００２３】
ところで、上記制御用表示装置は、ハードウェアで実現してもよいが、プログラムをコンピュータに実行させて実現してもよい。具体的には、請求項４の発明に係るプログラムは、デバイスを制御する制御ユニット間を接続するローカルエリアネットワークに接続可能な通信手段と、ローカルエリアネットワーク上およびインターネット上の文書を閲覧可能な閲覧手段とを備えたコンピュータにより実行可能なプログラムであって、上記閲覧手段によって閲覧される文書中に配置可能な機能部品であり、しかも、当該機能部品を配置した文書が上記閲覧手段によって閲覧されているときに、予め定められた動作として、上記通信手段に上記制御ユニットと通信させる制御用機能部品として、コンピュータを動作させるプログラムである。
【００２４】
当該プログラムが上記コンピュータで実行されると、当該コンピュータは、請求項１記載の制御用表示装置として動作する。したがって、請求項１と同様に、制御用表示装置を実現するために必要なハードウェア資源およびソフトウェア資源、並びに、ユーザ教育の手間を削減できると共に、制御ユニットと通信する際の画面を作画する際の手間と、当該画面を作画可能なシステムを開発するための手間とを削減できる。
【００２５】
なお、上記プログラムは、上記各動作の全手順をＣＰＵなどの演算手段へ指示するコードであってもよいし、所定の手順で呼び出すことで、上記各動作の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。さらに、上記手順の一部を実行可能な他のコンピュータへ上記手続きを指示できれば、当該コンピュータとの通信処理によって、当該手順の一部を置き換えてもよい。
【００２６】
【発明の実施の形態】
本発明の一実施形態について図１に基づいて説明すると以下の通りである。すなわち、本実施形態に係る制御システム１は、例えば、図１に示すように、ターゲットシステム１１のデバイス１１ａを制御する制御ユニット１２と、それぞれの制御ユニット１２によって制御されるデバイス１１ａ同士を連携して動作させるために、各制御ユニット１２を相互に接続するローカルエリアネットワーク（ＬＡＮ）１３と、上記ＬＡＮ１３に接続されたウェブサーバ２１と、制御システム１のメンテナンス用途などに好適に使用され、上記ＬＡＮ１３に接続された場合、上記制御ユニット１２とウェブサーバ２１との双方にアクセス可能な携帯端末（制御用表示装置）２２と、上記ウェブサーバ２１によって参照または更新されるデータベース２３とを備えている。
【００２７】
以下では、上記携帯端末２２の構成および動作について説明する前に、残余の構成について、簡単に説明する。すなわち、上記制御ユニット１２は、デバイス１１ａの制御装置としてのプログラマブル・ロジック・コントローラ（ＰＬＣ）１２ａと、処理指示語（タグ）を組み合わせて決定される画面データに基づいて、オペレータによる操作受け付け、および、画面表示を制御可能なプログラマブル表示器１２ｂとを備えている。
【００２８】
さらに、各制御ユニット１２のプログラマブル表示器１２ｂ同士が、上記ＬＡＮ１３（例えば、イーサネット（登録商標）など）を介して接続されており、各プログラマブル表示器１２ｂは、自らに接続されているＰＬＣ１２ａの機種に固有の専用プロトコルと、ＬＡＮ１３での共通プロトコルとを変換して、ＬＡＮ１３に接続された機器（他のプログラマブル表示器１３など）と、ＰＬＣ１２ａとの通信を中継する。これにより、ＬＡＮ１３に接続された各機器は、各プログラマブル表示器１２ｂに接続されているＰＬＣ１２ａの機種に拘らず、ＬＡＮ１３を介して共通のプロトコルで通信できる。
【００２９】
本実施形態では、共通のプロトコルとして、ＴＣＰ／ＩＰを採用している。また、共通プロトコルと専用プロトコルとの間のプロトコル変換には、同じ指示に同じコードが割り当てられるように予め定められた共通のコマンドと当該共通のコマンドに対応するＰＬＣ１２ａ固有のコマンドとの間のコマンド変換や、データやアドレスの表現方法の変換なども含まれている。
【００３０】
この結果、複数の制御ユニット１２によってそれぞれ制御されるデバイス１１ａ同士が連携して動作できるにも拘わらず、制御ユニット１２間を接続するためにＰＬＣ１２ａ同士を接続する構成に比べて、異なる機種のＰＬＣ１２ａが制御システム１に容易に混在されている。
【００３１】
より詳細には、上記プログラマブル表示器１２ｂは、表示／制御動作を規定する画面データに基づいて、入力受け付け動作および画面表示動作を行う表示器である。上記画面データは、画面上の領域と当該領域への表示に対応するデバイスのアドレスとの対応を示す表示タグや、画面上の領域と当該領域への入力に対応するデバイスのアドレスとの対応を示す入力タグなどのタグを含んでいる。さらに、本実施形態では、画面データ中の各タグは、単位画面の少なくとも１つと関連付けることができる。
【００３２】
なお、デバイスアドレスは、制御対象となるデバイスを特定するアドレスであって、例えば、ＰＬＣ１２ａのメモリやプログラマブル表示器１２ｂのメモリなど、制御システム１に設けられた記憶装置の一領域を示している。また、上記デバイスは、操作入力部やバーコードリーダなどの入力装置から手動で入力されたデータが格納されたメモリであってもよい。さらに、デバイスの状態の取得／変更は、その都度指示してもよいし、プログラマブル表示器１２ｂ内にキャッシュを用意し、取得／変更時には、キャッシュへアクセスすると共に、所定の時間間隔毎や所定のイベント毎に通信してデバイスアドレスの実体と同期を取ってもよい。
【００３３】
上記プログラマブル表示器１２ｂは、予め格納された画面データから、現在表示中の単位画面に関連する表示タグを抽出すると共に、所定の周期毎に、各表示タグについて、当該表示タグに関連するデバイスアドレスの内容を読み出し、例えば、読み出した値に応じた部品図形など、デバイスアドレスの内容に応じ、しかも表示タグで指定された表現形式の図形を、画面上の指定された領域へ表示する。一方、プログラマブル表示器１２ｂが、例えば、図示しないタッチパネルへの入力操作を受け付けると、プログラマブル表示器１２ｂは、上記画面データから、現在表示中の単位画面に対応し、当該入力操作にマッチする入力タグを検索し、自らに接続されたＰＬＣ１２ａへ指示したり、ＬＡＮ１３、他のプログラマブル表示器１２ｂを介して、当該プログラマブル表示器１２ｂに接続されたＰＬＣ１２ａへ指示したりして、入力タグが示すデバイスアドレスの内容を入力結果に応じて変更する。これにより、プログラマブル表示器１２ｂは、画面データが示すデバイスの状態を、画面データが示す表現形式で画面データが示す表示位置に表示したり、画面データが示す入力操作に応じて制御したりできる。
【００３４】
このように、上記制御システム１では、各制御ユニット１２が、ＬＡＮ１３を介して相互に接続されており、ある制御ユニット１２の指示に応じて、他の制御ユニット１２が、自らが制御対象とするデバイス１１ａを制御できる。これにより、各制御ユニット１２によって制御されるデバイス１１ａは、互いに連携して動作できる。
【００３５】
ここで、制御システム１では、デバイス１１ａを制御するシステムだけではなく、他の用途のシステムも動作している。例えば、製造装置をターゲットシステム１１とする制御システム１では、生産計画を立案するシステムや、生産計画に沿った製造指示を各制御ユニット１２、制御ユニット１２のユーザへ送信するシステム、生産の進捗状況を収集するシステム、進捗状況を蓄積するシステムなどが動作している。
【００３６】
これらのシステムが管理する情報の中には、メンテナンスの担当者が容易に参照したり、更新／追加できる方が望ましい情報も数多く存在している。したがって、本実施形態に係る制御システム１では、これらの情報を参照、更新または追加するためのウェブサーバ２１がＬＡＮ１３に接続されている。
【００３７】
上記ウェブサーバ２１は、例えば、ＨＴＴＰ（Ｈｙｐｅｒ　Ｔｅｘｔ　Ｔｒａｎｓｆｅｒ　Ｐｒｏｔｏｃｏｌ）　プロトコルなどのプロトコルで、後述する携帯端末２２のブラウザ３１と通信して、ＨＴＭＬ文書などの文書を送信できる。また、ウェブサーバ２１は、上記ブラウザ３１から情報を受け取ると、例えば、ＣＧＩ（Ｃｏｍｍｏｎ　Ｇａｔｅｗａｙ　Ｉｎｔｅｒｆａｃｅ）などを用い、受信した情報に応じて、データベース２３のデータを更新したり、データベース２３にデータを追加したり、データベース２３からデータを削除したりできる。さらに、上記ウェブサーバ２１は、上記ブラウザ３１からの要求に応じて、当該データベース２３を参照し、ブラウザ３１が閲覧可能な文書として、データベース２３の参照結果を返信できる。
【００３８】
例えば、情報が進捗状況を示す進捗情報の場合は、上記データベース２３には、進捗情報が蓄積される。また、上記情報がメンテナンスの担当者への作業指示の場合は、ウェブサーバ２１は、今日の設備点検対象と点検内容を、保守計画データベースとしてのデータベース２３から抽出して、携帯端末２２に表示させることができる。さらに、上記情報がメンテナンスの担当者の作業記録の場合、保全記録データベースとしての上記データベース２３には、携帯端末２２によって入力された点検結果が蓄積される。また、上記情報がメンテナンスの工数記録の場合は、携帯端末２２によって入力されたメンテナンス工数が上記データベース２３へ蓄積される。さらに、交換部品検索の場合、保守部品マスタデータベースとしてのデータベース２３には、保守部品管理と連携した交換部品の情報が蓄積され、ウェブサーバ２１は、携帯端末２２のユーザが必要とする交換部品の情報を、データベース２３から検索し、携帯端末２２に表示させることができる。
【００３９】
また、上記情報が装置の説明や過去の保全記録の場合、説明書および手順書マスタあるいは保全記録を記憶するウェブサーバ２１は、これらの説明や保全記録を示す文書を、携帯端末２２からの要求に応えて送信できる。さらに、故障時におけるＰＬＣ１２ａやデバイス１１ａの過去の状態表示の場合、ウェブサーバ２１は、これらの情報を示す文書を携帯端末２２に送信できる。
【００４０】
一方、携帯端末２２には、例えば、汎用のブラウザソフトなどにより実現され、ウェブサーバ２１が公開する文書を閲覧可能なブラウザ（閲覧手段）３１と、ブラウザ３１の作業領域、あるいは、ブラウザ３１が表示する文書を記憶する領域などとして使用される記憶部（記憶手段）３２とが設けられている。当該ブラウザ３１は、入力手段としてのタッチパネル４１によるユーザの指示などに応じて、ウェブサーバ２１と通信可能なプロトコル（例えば、ＨＴＴＰなど）で上記ウェブサーバ２１と通信して、ＨＴＭＬ文書などの文書を受け取り、ディスプレイ４２上に文書の内容を表示できる。
【００４１】
また、本実施形態では、ＬＡＮ１３とインターネット２との間にゲートウェイ１４が設けられており、ブラウザ３１は、ユーザの指示に応じて、ゲートウェイ１４を介して、インターネット２上のウェブサーバ３と通信し、当該サーバから受け取った文書も閲覧できる。
【００４２】
さらに、本実施形態に係る携帯端末２２には、上記ＬＡＮ１３を介して、上述の共通プロトコルで、制御ユニット１２と通信する共通プロトコル処理部（通信手段；蓄積手段）３３が設けられており、携帯端末２２がＬＡＮ１３と接続されている場合、共通プロトコル処理部３３は、制御ユニット１２が他の制御ユニット１２と通信するときと同様に制御ユニット１２と通信できる。また、本実施形態に係る共通プロトコル処理部３３は、上記ブラウザ３１からの指示、あるいは、当該ブラウザ３１によって閲覧されている機能部品（後述）からの指示を受けた場合、当該指示に基づいて、ＬＡＮ１３経由でウェブサーバ２１と通信できる。
【００４３】
また、本実施形態に係る共通プロトコル処理部３３は、ＬＡＮ１３と接続されていないときに通信指示を受けた場合、記憶部３２に通信指示を蓄積できる。さらに、接続されていない期間の後、上記ＬＡＮ１３に接続可能になったとき、共通プロトコル処理部３３は、当該蓄積された通信指示に基づいて上記制御ユニット１２あるいはウェブサーバ２１と通信できる。
【００４４】
また、上記記憶部３２は、上記制御ユニット１２と通信するためのＨＴＭＬ文書と、当該ＨＴＭＬ文書に配置される機能部品の情報が格納された機能部品ファイルとを格納している。本実施形態では、機能部品は、ＡｃｔｉｖｅＸ（商標）コントロールの部品として実現されており、例えば、ＯＣＸ（ＯＬＥ　Ｃｏｎｔｒｏｌ　ｅＸｔｅｎｔｉｏｎ　）ファイルなどに格納されている。
【００４５】
上記機能部品には、予め機能が割り当てられており、当該機能を実現できるように、ブラウザ３１が当該機能部品を含むＨＴＭＬ文書を閲覧しているときに行う動作が定められている。
【００４６】
例えば、機能部品に、あるデバイス１１ａの状態を表示する機能が割り当てられている場合、上記機能部品は、上記動作として、上記デバイス１１ａを制御する制御ユニット１２と通信して、デバイス１１ａの状態を問い合わせるように、上記共通プロトコル処理部３３へ指示する動作と、上記ブラウザ３１によって、機能部品に割り当てられた画面上の領域の表示状態を問い合わせ結果に応じて変更する動作とを行うように設定されている。また、上記機能部品に、さらに当該機能部品が操作されたときに、当該デバイス１１ａの状態を変更する機能が割り当てられている場合、上記画面上の領域への操作を受け付けたときに、操作に応じた制御指示の上記制御ユニット１２への送信を上記共通プロトコル処理部３３へ指示する動作を行うように設定されている。
【００４７】
一方、機能として、機能部品への操作に応じて、データベース２３を更新する機能が機能部品に割り当てられている場合、上記機能部品は、上記動作として、上記ブラウザ３１によって当該機能部品に割り当てられた画面上の領域への操作を受け付けたときに、操作に応じて、ウェブサーバ２１と通信して、上記データベース２３を更新させる動作が設定されている。
【００４８】
上記構成では、携帯端末２２のユーザは、ブラウザ３１を用いて、ウェブサーバ２１の文書を参照することによって、ウェブサーバ２１が公開している文書を閲覧できる。例えば、ウェブサーバ２１が管理するＵＲＩ（　Ｕｎｉｖｅｒｓａｌ　ＲｅｓｏｕｒｃｅＩｄｅｎｔｉｆｉｅｒ）のうち、データベース２３のデータを参照するために予め定められたＵＲＩ（　Ｕｎｉｖｅｒｓａｌ　Ｒｅｓｏｕｒｃｅ　Ｉｄｅｎｔｉｆｉｅｒ）にアクセスすれば、当該データベース２３のデータ（例えば、進捗情報など）を閲覧できる。
【００４９】
一方、携帯端末２２のユーザが、記憶部３２に格納され、上記機能部品が配置されたＨＴＭＬ文書の閲覧を、ブラウザ３１に指示すると、ブラウザ３１は、ＨＴＭＬ文書をディスプレイ４２に表示する。この場合、当該ＨＴＭＬ文書には、機能部品が配置されているので、ブラウザ３１は、ＨＴＭＬ文書の指示に基づいて当該機能部品にも画面上の領域を割り当てると共に、記憶部３２の機能部品ファイルを参照して、当該機能部品に動作を指示する。
【００５０】
ここで、上述したように、デバイス１１ａの状態を表示する機能が割り当てられた機能部品がＨＴＭＬ文書に配置されていた場合、当該機能部品は、上記デバイス１１ａを制御する制御ユニット１２と通信して、デバイス１１ａの状態を問い合わせるように、上記共通プロトコル処理部３３へ指示すると共に、上記ブラウザ３１によって割り当てられた画面上の領域の表示状態を、問い合わせ結果に応じて変更する。これによって、ブラウザ３１の画面には、デバイス１１ａの状態が表示され、携帯端末２２のユーザは、ブラウザ３１の画面を参照して、デバイス１１ａの状態を把握できる。
【００５１】
また、上記ＨＴＭＬ文書に配置された機能部品に対して、操作に応じてデバイス１１ａの状態を変更する機能がさらに割り当てられていた場合、当該機能部品は、タッチパネル４１によって、ブラウザ３１の画面のうち、当該機能部品に対して割り当てられた領域が操作されたときに、共通プロトコル処理部３３へ指示して、操作に応じた制御指示を送信させる。これにより、携帯端末２２のユーザは、ブラウザ３１の画面を操作して、デバイス１１ａの状態を制御できる。
【００５２】
これにより、携帯端末２２は、ＬＡＮ１３内の各制御ユニット１２と同様に、他の制御ユニット１２が制御するデバイス１１ａの状態を取得したり、当該デバイス１１ａの状態を変更したりできる。
【００５３】
ここで、本実施形態では、携帯端末２２の共通プロトコル処理部３３は、ＬＡＮ１３を介して、制御ユニット１２と直接通信している。言い換えると、ＴＣＰ／ＩＰのようにトランスポート層のレベルでは、制御ユニット１２および携帯端末２２が、送信元および送信先になっている。このように、制御ユニット１２と携帯端末２２とがウェブサーバ２１などのサーバを介さずに直接通信しているので、携帯端末２２は、ＬＡＮ１３内の他の制御ユニット１２と同様に、高速に制御ユニット１２と通信できる。また、携帯端末２２と制御ユニット１２とが、サーバを介さずに直接通信するので、サーバに負荷が集中せず、ＬＡＮ１３の負荷を軽減できる。
【００５４】
さらに、上記では、制御ユニット１２と通信するときと、インターネット２またはウェブサーバ２１の文書を閲覧するときとの双方で、ブラウザ３１が使用されている。したがって、制御ユニット１２と通信するための専用ソフトをブラウザ３１とは別に動作させる場合に比べて、携帯端末２２に必要なハードウェア資源およびソフトウェア資源を削減できる。また、それぞれ別のソフトを使用する場合とは異なり、ユーザインターフェースがブラウザ３１に統一されているので、制御ユニット１２の表示操作端末としての機能とウェブ端末としての機能とを連携動作させることができると共に、携帯端末２２のユーザは、ブラウザ３１の操作を覚えるだけで、制御ユニット１２と通信するための画面を閲覧できる。したがって、携帯端末２２のユーザの負担を軽減できる。
【００５５】
加えて、上記機能部品は、ＨＴＭＬ文書に配置されるので、制御ユニット１２と通信する際の画面を作画するための専用のエディタを使用することなく、ＨＴＭＬ文書を作成できるエディタを用いて作成できる。このようなエディタとしては、ＨＴＭＬ文書を出力可能なワードプロセッサまたは表計算ソフト、あるいは、ＨＴＭＬエディタなどが挙げられる。
【００５６】
さらに、上記機能部品は、当該機能部品を格納した機能部品ファイルが記憶部３２に記憶されているだけでは動作せず、ブラウザ３１が当該機能部品が配置されたＨＴＭＬ文書を閲覧することをトリガにして動作するので、ＨＴＭＬ文書へ機能部品を配置するか否かによって、各機能部品を動作させるか否かを各ＨＴＭＬ文書毎に設定できる。したがって、互いに異なる機能を有する機能部品を、予め用意しておけば、ＨＴＭＬ文書の作成者は、これらの中から、所望の機能を有する制御用機能部品を選択して、ＨＴＭＬ文書に配置するだけで、所望の機能を有する機能部品を表示するためのＨＴＭＬ文書を作成できる。これらの結果、制御ユニット１２と通信する際の画面を作画する際の手間と、当該画面を作画可能なシステムを開発するための手間とを削減できる。
【００５７】
なお、新たな機能が必要になれば、当該機能を実現するための機能部品を作成すればよいが、一般に、機能部品の作成は、制御ユニット１２と通信する際の画面を作画するための作画エディタを新規に作成するよりも少ない手間で作成でき、機能追加における開発時間を短縮できる。また、上記のように、表示操作画面の構造を機能部品単位でモジュール化しているので、画面や機能構成を自動生成するソフトウェアも、画面や機能構成に応じた機能部品を配置するように構成するだけで実現できるので、当該ソフトウェアの実現も容易である。
【００５８】
一方、上記ＨＭＴＬ文書に配置された機能部品に、データベース２３の更新機能が割り当てられていた場合、当該機能部品は、共通プロトコル処理部３３へ指示して、ウェブサーバ２１と通信させて、データベース２３を更新する。
【００５９】
以下では、上記ＨＴＭＬ文書を作成するための構成について簡単に説明する。すなわち、上記ＨＴＭＬ文書は、例えば、ＬＡＮ１３に接続された制御用ホストコンピュータ１５など、ＨＴＭＬ文書の作画が可能な装置によって作成される。本実施形態に係る制御用ホストコンピュータ１５は、携帯端末２２のブラウザ３１、記憶部３２および共通プロトコル処理部３３と同様のブラウザ５１、記憶部５２および共通プロトコル処理部５３を備えている。また、本実施形態に係る制御用ホストコンピュータ１５では、入出力手段として、ディスプレイ６１とキーボード６２およびマウス６３とが設けられており、上記ブラウザ５１は、ディスプレイ６１にＨＴＭＬ文書を表示すると共に、キーボード６２およびマウス６３による当該ＨＴＭＬ文書への操作を受け付けることができる。
【００６０】
当該記憶部５２には、記憶部３２と同様に、ＨＴＭＬ文書および機能部品ファイルが格納されており、当該ＨＴＭＬ文書をブラウザ５１で閲覧することによって、携帯端末２２と同様に、制御ユニット１２が制御するデバイス１１ａの状態を取得したり、当該デバイス１１ａの状態を変更したりできる。
【００６１】
さらに、機能部品が配置されたＨＴＭＬ文書を編集可能な文書エディタ５４が設けられている。当該文書エディタ５４は、例えば、ＨＴＭＬ文書を出力可能なワードプロセッサまたは表計算ソフト、あるいは、ＨＴＭＬエディタなどによって実現されている。また、本実施形態の記憶部５２には、携帯端末２２および制御用ホストコンピュータ１５で閲覧されるＨＴＭＬ文書に配置される可能性がある機能部品を格納した機能部品ファイルも記憶されている。
【００６２】
ある携帯端末２２の画面を設計する際、上記文書エディタ５４は、エディタ画面をディスプレイ６１に表示して、画面上に配置すべき文字列や画像、あるいは、機能部品の入力を促す。
【００６３】
本実施形態に係る文書エディタ５４は、上記機能部品ファイルに格納された機能部品を一覧表示でき、それらの中から、設計する画面上に配置すべき機能部品を選択するように促すことができる。例えば、キーボード６２やマウス６３などによって、ユーザの選択指示を受け付けると、文書エディタ５４は、画面上に、選択された機能部品を配置する。これにより、画面上に配置する機能部品を決定するときの手間が軽減されている。
【００６４】
また、本実施形態に係る文書エディタ５４では、上記機能部品や文書あるいは画像など、画面上に配置可能な部品を、閲覧時と同様のレイアウトで表示でき、例えば、マウス６３などによるユーザの指示に応じて、各部品の配置を微調整できる。
【００６５】
作画が終了すると、文書エディタ５４は、設計された画面をＨＴＭＬ文書として、記憶部５２に保存する。制御用ホストコンピュータ１５は、ユーザの指示に応じて、記憶部５２に格納されたＨＴＭＬ文書と、当該ＨＴＭＬ文書に配置された機能部品が格納された機能部品ファイルとを、作画のターゲットとする携帯端末２２に送信する。
【００６６】
ここで、本実施形態では、送信機能を持った機能部品も記憶部５２に記憶されており、当該機能部品を含むＨＴＭＬ文書がブラウザ５１で閲覧されているときに、当該機能部品が操作されると、当該機能部品は、上記ＨＴＭＬ文書および機能部品ファイルを上記携帯端末２２に送信するように、共通プロトコル処理部３３へ指示する。
【００６７】
また、本実施形態に係る制御用ホストコンピュータ１５は、携帯端末２２および制御用ホストコンピュータ１５で閲覧されるＨＴＭＬ文書に配置される可能性がある機能部品を格納した機能部品ファイルを参照して、携帯端末２２に送信する機能部品ファイルを作成する際、携帯端末２２に送信するＨＴＭＬ文書で使用されていない機能部品を、予め定められた単位で削除した後で作成するように構成されている。これにより、携帯端末２２に格納される機能部品ファイルの記憶容量を削減でき、ハードウェア資源の利用を抑制できる。なお、削除の単位は、任意に設定できるが、個々の機能部品単位で削除できる場合は、ＨＴＭＬ文書で使用されている機能部品のみからなる機能部品ファイルを作成でき、ハードウェア資源の利用を最小限に抑えることができる。
【００６８】
なお、上記機能部品は、通信相手が異なる場合、それぞれを別の機能部品として用意してもよいが、機能部品を作成する手間を削減するためには、例えば、通信相手を属性として、通信相手を後で設定できるように構成しておく方が望ましい。これにより、例えば、制御／表示の対象となるデバイス１１ａのみが異なる場合など、通信相手のみが異なる機能部品同士を共通の機能部品として作成できる。なお、属性とする項目は、通信相手に限るものではなく、互いに類似した動作を行う機能部品であれば、相違する部分を属性にして、属性の値を後で設定可能に構成することによって、これらの機能部品を共通化できる。
【００６９】
ここで、上記では、制御用ホストコンピュータ１５および携帯端末２２が、ＨＴＭＬ文書および機能部品ファイルに基づいて、デバイス１１ａを操作／表示する画面を表示すると共に、プログラマブル表示器１２ｂが、タグを組み合わせて決定される画面データに基づいて、当該画面を表示する場合について説明したが、これに限るものではない。プログラマブル表示器１２ｂの一部または全部にも、携帯端末２２と同様に、入出力手段とブラウザ３１〜共通プロトコル処理部３３とを設け、ＨＴＭＬ文書および機能部品ファイルに基づいて、上記画面を表示してもよい。
【００７０】
いずれの場合であっても、制御用ホストコンピュータ１５の文書エディタ５４は、機能部品ファイルの機能部品をＨＴＭＬ文書に配置することによって、ＨＴＭＬ文書を作成するだけなので、作画のターゲットとする機器（制御用ホストコンピュータ１５、携帯端末２２または、プログラマブル表示器１２ｂ）が互いに異なるハードウェア資源およびソフトウェア資源で構成されていたとしても、それぞれ用の機能部品ファイルが用意されていれば、何ら支障なく、各機器用の画面を示すデータ（ＨＴＭＬ文書および機能部品ファイル）を作成できる。
【００７１】
なお、本実施形態では、機能部品がＡｃｔｉｖｅＸとして実現されており、当該機能部品は、ＨＴＭＬ文書に限らず、他のプログラムからも呼び出すことができる。したがって、ブラウザ３１で閲覧するために、これらの機能部品が用意されていれば、例えば、制御ユニット１２の状態を表示するためのプログラムを作成する際にも、これらの機能部品を流用でき、当該プログラムを作成する際の手間を大幅に削減できる。
【００７２】
ところで、例えば、ＬＡＮ１３との接続経路に無線通信路が含まれている場合には、携帯端末２２と、制御ユニット１２またはウェブサーバ３・２１との通信が不所望に断続されることがある。ところが、本実施形態に係る共通プロトコル処理部３３は、ＬＡＮ１３と接続されていないときに通信指示を受けた場合、記憶部３２に通信指示を蓄積する。さらに、接続されていない期間の後、上記ＬＡＮ１３に接続可能になったとき、共通プロトコル処理部３３は、当該蓄積された通信指示に基づいて、上記制御ユニット１２あるいはウェブサーバ２１と通信する。
【００７３】
したがって、携帯端末２２のユーザ、および、携帯端末２２のユーザと共通プロトコル処理部３３との間に配された部材（例えば、ブラウザ３１や、それから動作指示を受ける機能部品など）は、ＬＡＮ１３と通信できないときでも、通信できるときと同様に動作でき、例えば、制御ユニット１２への指示の入力を受け付けたり、共通プロトコル処理部３３へ通信を指示したりできる。この結果、デバイス１１ａの状態表示など、ＬＡＮ１３との接続しないと、実行できない動作を除いて、スタンドアロンで動作できる。なお、共通プロトコル処理部３３への通信指示は、ＬＡＮ１３との通信再開後に自動的に実行され、制御ユニット１２やウェブサーバ３・２１の動作に反映される。
【００７４】
このように、共通プロトコル処理部３３が、ＬＡＮ１３との接続が切断されているときには、通信指示を蓄積し、ＬＡＮ１３との接続が再開されると、蓄積された通信指示を自動的に実行するので、例えば、ＬＡＮ１３との接続経路に無線伝送路が含まれている場合など、ＬＡＮ１３との接続が不所望に断続される虞れがある場合であっても、携帯端末２２は、何ら支障なく、制御ユニット１２やウェブサーバ３・２１と通信できる。
【００７５】
なお、本実施形態では、プログラマブル表示器１２ｂが専用プロトコルと共通プロトコルとを変換しているが、これに限るものではなく、他の装置がプロトコル変換してもよいし、制御用ホストコンピュータ１５や携帯端末２２が専用プロトコルでＰＬＣ１２ａと直接通信してもよい。ただし、本実施形態のように、制御用ホストコンピュータ１５や携帯端末２２のように共通プロトコル処理部（３３・５３）を備えた機器とＰＬＣ１２ａとの間に、プロトコル変換する部材が設けられている場合、これらの機器は、デバイス１１ａの状態の問い合わせや状態制御指示の内容が同じであれば、専用プロトコルに拘らず、同じ動作をすればよい。したがって、専用プロトコルに合わせて、制御用ホストコンピュータ１５や携帯端末２２を変更する必要がなく、制御システム１を構築する際の手間を削減できる。
【００７６】
また、本実施形態では、携帯端末２２がＬＡＮ１３に直接接続されている場合を例にして説明したが、携帯端末２２がインターネット２などのネットワークおよびゲートウェイ１４を介して、ＬＡＮ１３に接続してもよい。トランスポート層のレベルでは、制御ユニット１２および携帯端末２２が、送信元および送信先になっており、両者が直接通信できれば、同様の効果が得られる。なお、この場合は、ＬＡＮ１３に直接接続される場合に比べて、通信速度が低いことが多く通信が断続されやすい。したがって、共通プロトコル処理部３３が通信切断中の通信指示を蓄積する構成の効果が特に大きい。また、携帯端末２２に代えて、または、加えて、据え置き型の端末を設けてもよい。
【００７７】
なお、上記各部材３１〜３３、５１〜５４は、ＣＰＵなどの演算手段が、ＲＯＭやＲＡＭなどの記憶手段に格納されたプログラムを実行し、タッチパネルやボタンあるいは液晶表示装置などの入出力手段、あるいは、インターフェース回路などの通信回路を制御することによって実現される機能ブロックである。したがって、これらの手段を有するコンピュータが、上記プログラムを記録した記録媒体（例えば、ＣＤ−ＲＯＭなど）を読み取り、当該プログラムを実行するだけで、本実施形態に係る制御用ホストコンピュータ１５および携帯端末２２を実現できる。なお、例えば、シリアルケーブルやＬＡＮ１３、インターネット２、あるいは、他の通信路を介してプログラムをダウンロードするためのプログラムが、上記コンピュータに予めインストールされていれば、当該通信路を介して、上記コンピュータへ上記プログラムを配付することもできる。
【００７８】
特に、携帯型あるいは据え置き型のコンピュータの多くは、インターネット２上の文書を閲覧するために、ブラウザを予め備えている。したがって、これらのコンピュータを流用することで、特別な機器を用意することなく、本実施形態に係る制御システム１を実現できる。また、コンピュータの多くは、インターネット２上の文書を編集するために、文書エディタを備えている。したがって、これらのコンピュータを流用することで、比較的容易に、制御用ホストコンピュータ１５を実現できる。
【００７９】
【発明の効果】
請求項１の発明に係る制御用表示装置は、以上のように、デバイスを制御する制御ユニット間を接続するローカルエリアネットワークに接続可能な通信手段と、閲覧手段によって閲覧される文書中に配置可能な機能部品であって、しかも、当該機能部品を配置した文書が上記閲覧手段によって閲覧されているときに、予め定められた動作として、上記通信手段に上記制御ユニットと通信させる制御用機能部品が記憶された記憶手段とを備えている構成である。また、請求項４の発明に係るプログラムは、上記閲覧手段および通信手段を有するコンピュータを、上記制御用機能部品として動作させるプログラムであり、当該プログラムが上記コンピュータで実行されると、当該コンピュータは、請求項１記載の制御用表示装置として動作する。
【００８０】
上記構成では、ローカルエリアネットワーク経由での制御ユニットと通信するときと、ローカルエリアネットワーク上およびインターネット上の文書を閲覧するときとの双方で、閲覧手段が使用されている。したがって、それぞれで別々の手段を用いる場合に比べて、制御用表示装置を実現するために必要なハードウェア資源およびソフトウェア資源を削減できる。また、双方のユーザインターフェースが閲覧手段に統一されているので、制御用表示装置のユーザを教育する手間を削減できるという効果を奏する。
【００８１】
加えて、上記制御用機能部品は、閲覧手段によって閲覧される文書に配置可能なので、制御ユニットと通信する際の画面を作画するための専用のエディタを使用することなく、ローカルエリアネットワーク上およびインターネット上で公開可能な文書を作成可能な文書エディタによって、制御用機能部品を含む文書を作成できる。したがって、制御ユニットと通信するための画面を作画する際の手間と、当該画面を作画可能なシステムを開発するための手間とを削減できるという効果も併せて奏する。
【００８２】
請求項２の発明に係る制御用表示装置は、上記構成に加えて、上記通信手段は、上記ローカルエリアネットワークに接続できないときに、上記制御ユニットとの通信が指示された場合には、当該通信指示を蓄積しておき、その後、上記ローカルエリアネットワークに接続可能になったときに、当該蓄積された通信指示に基づいて上記制御ユニットと通信する構成である。
【００８３】
また、請求項３の発明に係る制御用表示装置は、上記構成に加えて、上記記憶手段には、上記閲覧手段によって閲覧される文書中に配置可能な機能部品であって、しかも、当該機能部品を配置した文書が上記閲覧手段によって閲覧されているときに、予め定められた動作として、上記ローカルエリアネットワークまたはインターネット上のサーバとの通信を上記閲覧手段に指示するサーバ通信用機能部品も記憶されており、上記ローカルエリアネットワーク上またはインターネット上のサーバと通信できないときに、上記サーバ通信用機能部品によって、当該サーバとの通信が指示された場合には、当該通信指示を蓄積しておき、その後、上記ローカルエリアネットワークまたはインターネットに接続可能になったときに、当該蓄積された通信指示に基づいて上記サーバと通信する蓄積手段を備えている構成である。
【００８４】
これらの構成では、制御用表示装置が、制御ユニットと、あるいは、上記ローカルエリアネットワーク上またはインターネット上のサーバと通信できないときに、上記制御用機能部品あるいはサーバ通信用機能部品が、当該サーバとの通信を指示したとしても、通信できるようになるまで、通信手段あるいは蓄積手段がこれらの通信指示を蓄積し、通信できるようになった時点で、当該通信指示に基づいて通信する。したがって、制御用表示装置のユーザと通信手段あるいは蓄積手段との間に配された手段は、制御用表示装置がローカルエリアネットワークやインターネットと通信できないときでも、通信できるときと同様に動作でき、例えば、サーバへの指示の入力を受け付けることができる。
【００８５】
この結果、例えば、ローカルエリアネットワークやインターネットとの接続経路に無線伝送路が含まれている場合など、ローカルエリアネットワークやインターネットとの接続が不所望に断続され虞れがある場合であっても、何ら支障なく、サーバと通信できるという効果を奏する。
【図面の簡単な説明】
【図１】本発明の実施形態を示すものであり、制御システムの要部構成を示すブロック図である。
【符号の説明】
２　　　　　インターネット
１３　　　　　ローカルエリアネットワーク
１５　　　　　制御用ホストコンピュータ（制御用表示装置）
２２　　　　　携帯端末（制御用表示装置）
３１・５１　　ブラウザ（閲覧手段）
３２・５２　　記憶部（記憶手段）
３３・５３　　共通プロトコル処理部（通信手段；蓄積手段）
【図１】
2004094749.tif 000003